(57)【要約】【課題】伸び及び強度のあるシリコーンエラストマーの皮膜を、常温乾燥で速やかに形成しうる水性シリコーン分散液を提供する。【解決手段】常温乾燥でエラストマー皮膜を形成する水性シリコーン分散液であって、（Ａ）１分子当たり２個以上のアルケニル基を有するアルケニル基含有オルガノポリシロキサン（Ａ−１）と、  １分子当たり３個以上のヒドロシリル基を有するオルガノポリシロキサン（Ａ−２）及び分子両末端にヒドロシリル基を有する直鎖状のジオルガノポリシロキサン（Ａ−３）との付加反応生成物であるシリコーンエラストマー、（Ｂ）アニオン性界面活性剤（Ｃ）ノニオン性界面活性剤、（Ｄ）コロイダルシリカ：、及び（Ｅ）水を含む水性シリコーン分散液。【選択図】なし【特許請求の範囲】
【請求項１】
常温乾燥でエラストマー皮膜を形成する水性シリコーン分散液であって、
（Ａ）１分子当たり２個以上のアルケニル基を有するアルケニル基含有オルガノポリシロキサン（Ａ−１）と、
１分子当たり３個以上のヒドロシリル基を有するオルガノポリシロキサン（Ａ−２）及び分子両末端にヒドロシリル基を有する直鎖状のジオルガノポリシロキサン（Ａ−３）との付加反応生成物であるシリコーンエラストマー、
（Ｂ）アニオン性界面活性剤：（Ａ）成分１００質量部に対し０．１〜５質量部、
（Ｃ）ノニオン性界面活性剤：（Ａ）成分１００質量部に対し０〜２質量部、
（Ｄ）コロイダルシリカ：（Ａ）成分１００質量部に対し０〜３５質量部、及び
（Ｅ）水：（Ａ）成分と（Ｄ）成分との合計１００質量部に対し１５〜２００質量部
を含む、上記（Ａ）シリコーンエラストマーが分散された水性シリコーン分散液。
【請求項２】
水性シリコーン分散液の２５℃乾燥物である厚さ１ｍｍのエラストマーシートのアスカーＣゴム硬さ（日本ゴム協会標準規格（ＳＲＩＳ）に規定された試験方法）が、５以上である請求項１記載の水性シリコーン分散液。
【請求項３】
水性シリコーン分散液の２５℃乾燥物である厚さ１ｍｍのエラストマーシートのダンベル形状３号形試験片の切断時伸び（ＪＩＳ  Ｋ  ６２５１に規定された試験方法）が、２０％以上であり、切断時引張強さ（ＪＩＳ  Ｋ  ６２５１に規定された試験方法）が、０．０５ＭＰａ以上である請求項１又は２記載の水性シリコーン分散液。
【請求項４】
（Ａ）成分が、（Ａ−２）成分と（Ａ−３）成分の質量比（Ａ−２）：（Ａ−３）が５：９５〜９０：１０であり、（Ａ−１）成分と、（Ａ−２）及び（Ａ−３）成分との付加反応生成物である請求項１〜３のいずれか１項記載の水性シリコーン分散液。
【請求項５】
請求項１〜４のいずれか１項記載の水性シリコーン分散液を常温乾燥させたエラストマー皮膜。
【請求項６】
請求項１〜４のいずれか１項記載の水性シリコーン分散液を含む化粧料。
【請求項７】
メークアップ化粧料、パック化粧料又はまつ毛用化粧料である請求項６記載の化粧料。
【発明の詳細な説明】
【技術分野】
【０００１】
本発明は、常温乾燥でエラストマー皮膜を形成する水性分散液、皮膜及び化粧料に関するものである。
【背景技術】
【０００２】
乾燥時にエラストマー皮膜を形成する水性シリコーン分散液は、従来から種々の組成から成るものがあり、滑り性、撥水性、剥離性を付与する目的で繊維処理剤、ゴムのコーティング剤、建材のコーティング剤、紙やプラスチックフィルムのコーティング剤等又はそれらの添加剤として使用されている。
【０００３】
エラストマー皮膜を形成させる方法として、乾燥時に、同時にシリコーンの縮合反応を進行させる方法がある。その方法の組成物としては、例えば、米国特許第３，０９８，８３３号公報（特許文献１）には、ヒドロキシル化ジオルガノポリシロキサン、ケイ素に結合した水素原子を有するポリシロキサン及び硬化触媒からなるエマルジョン組成物、特公昭３８−８６０号公報（特許文献２）には、分子鎖両末端が水酸基で封鎖されたポリジオルガノシロキサン、ポリオルガノハイドロジェンシロキサン、ポリアルキルシリケート及び脂肪酸のスズ塩からなるエマルジョン組成物、特開昭５３−１３０７５２号公報（特許文献３）には、分子鎖両末端が水酸基で封鎖されたポリジオルガノシロキサン、加水分解可能な基を少なくとも３個有するシラン及び硬化触媒からエマルジョン組成物、米国特許第３，２９４，７２５号公報（特許文献４）には、ヒドロキシル化ジオルガノポリシロキサン、トリアルコキシシラン及びコロイダルシリカからなるエマルジョン組成物、特開昭５４−１３１６６１号公報（特許文献５）には、環状オルガノシロキサンとオルガノトリアルコキシシランとを乳化重合してなるオルガノポリシロキサンラテックス組成物等が挙げられる。しかしながら、これら組成での乾燥と同時にシリコーンの縮合反応によりエラストマー皮膜を形成させるには、１００〜３００℃の加熱により行うことが一般的であり、常温乾燥では反応速度が遅かったり、反応が進行しなかったりする。皮膚上で加熱することはできないため、化粧料の材料には適していない。
【０００４】
特開平７−１９６９８４号公報（特許文献６）にはアミノ基を含有するオルガノポリシロキサンのエマルジョンとエポキシ基を含有する加水分解性シランとを混合分散してなるシリコーンエマルジョン組成物又はエポキシ基を含有するオルガノポリシロキサンのエマルジョンとアミノ基を含有する加水分解性シランとを混合分散してなるシリコーンエマルジョン組成物が提案されている。アミノ基とエポキシ基の反応速度は速いが、アミノ基やエポキシ基は、特にメークアップ化粧料、パック化粧料等の、皮膚に塗布され、皮膚上で化粧膜を長時間保持されるような化粧料においては、皮膚への安全性が懸念される。
【０００５】
乾燥時に、同時にアルケニルシリル基とヒドロシリル基との付加反応により、シリコーンエラストマーの皮膜を形成させる方法がある。その組成としては、例えば、特開昭５０−９４０８２号公報（特許文献７）法には、分子鎖末端ビニル基封鎖ポリジオルガノシロキサン、ポリオルガノハイドロジェンポリシロキサン及び白金触媒からなるエマルジョン、特開昭５４−５２１６０号公報（特許文献８）には、分子鎖末端又は側鎖上にビニル基を含有したポリジオルガノシロキサン、ケイ素に結合した水素原子を有するポリシロキサン、コロイド状シリカ及び白金触媒からなるエマルジョンが提案されている。しかしながら、これら組成においては、ヒドロシリル基を含有するシロキサンと白金触媒を共存させておくと、経時で反応が進行したり、水素ガスを発生したりするため、シリコーンのエマルジョンと白金触媒の混合は使用前に行う必要がある。化粧料を使用する一般消費者において、液を混合してから使用するということは、使い勝手が悪い。
【０００６】
特開昭５６−３６５４６号公報（特許文献９）には、分子鎖両末端がビニル基で封鎖されたポリジオルガノシロキサン及びポリオルガノハイドロジェンシロキサンからなるエマルジョンに白金触媒を加え、架橋したシリコーンエラストマーのエマルジョンとした方法、又はそのシリコーンエラストマーのエマルジョンにさらにコロイダルシリカを配合する方法が提案されている。しかしながら、この組成物は、ビニルシリル基とヒドロシリル基との付加反応は完結しているものの、乾燥によりエラストマー皮膜を形成する。しかしながら、その皮膜は伸びがなく、脆いという欠点がある。
【先行技術文献】
【特許文献】
【０００７】
【特許文献１】米国特許第３，０９８，８３３号公報
【特許文献２】特公昭３８−８６０号公報
【特許文献３】特開昭５３−１３０７５２号公報
【特許文献４】米国特許第３，２９４，７２５号公報
【特許文献５】特開昭５４−１３１６６１号公報
【特許文献６】特開平７−１９６９８４号公報
【特許文献７】特開昭５０−９４０８２号公報
【特許文献８】特開昭５４−５２１６０号公報
【特許文献９】特開昭５６−３６５４６号公報
【発明の概要】
【発明が解決しようとする課題】
【０００８】
本発明は上記事情に鑑みなされたもので、伸び及び強度のあるシリコーンエラストマーの皮膜を、常温乾燥で速やかに形成しうる水性シリコーン分散液、皮膜及び化粧料を提供することを目的とする。
【課題を解決するための手段】
【０００９】
本発明者は、上記目的を達成するため鋭意検討した結果、シリコーンを特定のアルケニル基含有オルガノポリシロキサンと、特定のヒドロシリル基を有するオルガノポリシロキサンとの付加反応により得られるシリコーンエラストマーとし、このヒドロシリル基を含有するオルガノポリシロキサンを、分子両末端にヒドロシリル基を含有する直鎖状のジオルガノポリシロキサンを含むものとし、かつ分散液中の乳化剤をアニオン性界面活性剤とし、さらにその量を少なくすることにより、上記目的を達成できることを見出した。
【００１０】
従って、本発明は下記水性シリコーン分散液、皮膜及び化粧料を提供する。
［１］.常温乾燥でエラストマー皮膜を形成する水性シリコーン分散液であって、
（Ａ）１分子当たり２個以上のアルケニル基を有するアルケニル基含有オルガノポリシロキサン（Ａ−１）と、
１分子当たり３個以上のヒドロシリル基を有するオルガノポリシロキサン（Ａ−２）及び分子両末端にヒドロシリル基を有する直鎖状のジオルガノポリシロキサン（Ａ−３）との付加反応生成物であるシリコーンエラストマー、
（Ｂ）アニオン性界面活性剤：（Ａ）成分１００質量部に対し０．１〜５質量部、
（Ｃ）ノニオン性界面活性剤：（Ａ）成分１００質量部に対し０〜２質量部、
（Ｄ）コロイダルシリカ：（Ａ）成分１００質量部に対し０〜３５質量部、及び
（Ｅ）水：（Ａ）成分と（Ｄ）成分との合計１００質量部に対し１５〜２００質量部
を含む、上記（Ａ）シリコーンエラストマーが分散された水性シリコーン分散液。
［２］.水性シリコーン分散液の２５℃乾燥物である厚さ１ｍｍのエラストマーシートのアスカーＣゴム硬さ（日本ゴム協会標準規格（ＳＲＩＳ）に規定された試験方法）が、５以上である［１］記載の水性シリコーン分散液。
［３］.水性シリコーン分散液の２５℃乾燥物である厚さ１ｍｍのエラストマーシートのダンベル形状３号形試験片の切断時伸び（ＪＩＳ  Ｋ  ６２５１に規定された試験方法）が、２０％以上であり、切断時引張強さ（ＪＩＳ  Ｋ  ６２５１に規定された試験方法）が、０．０５ＭＰａ以上である［１］又は［２］記載の水性シリコーン分散液。
［４］.（Ａ）成分が、（Ａ−２）成分と（Ａ−３）成分の質量比（Ａ−２）：（Ａ−３）が５：９５〜９０：１０であり、（Ａ−１）成分と、（Ａ−２）及び（Ａ−３）成分との付加反応生成物である［１］〜［３］のいずれかに記載の水性シリコーン分散液。
［５］.［１］〜［４］のいずれかに記載の水性シリコーン分散液を常温乾燥させたエラストマー皮膜。
［６］.［１］〜［４］のいずれかに記載の水性シリコーン分散液を含む化粧料。
［７］.メークアップ化粧料、パック化粧料又はまつ毛用化粧料である［６］記載の化粧料。
【発明の効果】
【００１１】
本発明によれば、伸び及び強度のあるシリコーンエラストマーの皮膜を、常温乾燥で速やかに形成しうる水性シリコーン分散液が得られ、この水性シリコーン分散液は、メークアップ化粧料、パック化粧料、まつ毛用化粧料等の化粧料等に特に有用である。
【発明を実施するための形態】
【００１２】
以下、本発明について詳細に説明する。
［（Ａ）成分］
（Ａ）成分のシリコーンエラストマーは、アルケニル基含有オルガノポリシロキサンとヒドロシリル基を有するオルガノポリシロキサンとの付加反応生成物である。アルケニル基含有オルガノポリシロキサンは、１分子当たり２個以上のアルケニル基を有するアルケニル基含有オルガノポリシロキサン（Ａ−１）であり、ヒドロシリル基を有するオルガノポリシロキサンは、１分子当たり３個以上のヒドロシリル基を有するオルガノポリシロキサン（Ａ−２）及び分子両末端にヒドロシリル基を有する直鎖状のジオルガノポリシロキサン（Ａ−３）である。
【００１３】
（Ａ−１）
１分子当たり２個以上のアルケニル基を有するアルケニル基含有オルガノポリシロキサンとしては、１種単独で又は２種以上を適宜組み合わせて用いることができ、例えば、下記平均組成式（１）
Ｒ1aＲ2bＳｉＯ(4-a-b)/2          （１）
（式中、式中のＲ1は独立に、アルケニル基を除く、置換又は非置換の炭素数１〜３０の１価炭化水素基であり、Ｒ2は独立に炭素数２〜６のアルケニル基である。ａ、ｂは、０＜ａ＜３、０＜ｂ≦３、及び０．１≦ａ＋ｂ≦３を満たす正数であり、好ましくは０＜ａ≦２．２９５、０．００５≦ｂ≦２．３、及び０．５≦ａ＋ｂ≦２．３を満たす正数である。）
で表されるものが挙げられる。
【００１４】
Ｒ1としては、例えば、メチル基、エチル基、プロピル基、ブチル基、ペンチル基、ヘキシル基、ヘプチル基、オクチル基、デシル基、ウンデシル基、ドデシル基、テトラデシル基、ペンタデシル基、ヘキサデシル基、ヘプタデシル基、オクタデシル基、ノナデシル基、イコシル基、ヘニコシル基、ドコシル基、トリコシル基、テトラシル基、トリアコンチル基等のアルキル基；フェニル基、トリル基、ナフチル基等のアリール基；ベンジル基、フェネチル基等のアラルキル基；シクロペンチル基、シクロヘキシル基、シクロヘプチル基等のシクロアルキル基；及びこれらの基の炭素原子に結合した水素原子の一部又は全部をハロゲン原子（フッ素原子、塩素原子、臭素原子、ヨウ素原子）等の原子及び／又はアクリロイルオキシ基、メタクリロイルオキシ基、エポキシ基、グリシドキシ基、カルボキシル基等の置換基で置換した炭化水素基等が挙げられる。中でも、工業的には全Ｒ1基中の５０モル％以上がメチル基であることが好ましい。
【００１５】
Ｒ2としては、ビニル基、アリル基、プロペニル基、ブテニル基、ペンテニル基、ヘキセニル基等が挙げられるが、工業的にはビニル基であることが好ましい。
【００１６】
（Ａ−１）成分の構造は、直鎖状、環状、分岐状いずれであってもよい。直鎖状の構造のものとしては、例えば、下記一般式（２）で表されるものが挙げられる。
【００１７】
【化１】
2018115288.tif 000002
（式中、Ｒ1，Ｒ2は上記と同じであり、ｃは正数、ｄは０又は正数、ｅは０又は１、ただしｄ及びｅはｄ＋２×ｅ≧２を満たす数である。）
【００１８】
分岐構造としては、例えば、Ｒ1ＳｉＯ3/2の単位により分岐している下記一般式（３）で表されるものが挙げられる。
【００１９】
【化２】
2018115288.tif 000003
（式中、Ｒ1，Ｒ2は上記と同じであり、ｆは正数、ｇは０又は正数、ｈは正数、ｉは正数、ｊは０又は正数、ｋは０又は１、ｌは０又は１、ただしｇ、ｊ、ｋ及びｌはｇ＋ｈ×ｊ＋２×ｋ＋ｈ×ｌ≧２を満たす数である。）
【００２０】
ＳｉＯ4/2の単位により分岐している構造としては、例えば、下記一般式（４）で表されるものが挙げられる。
【００２１】
【化３】
2018115288.tif 000004
（式中、Ｒ1，Ｒ2は上記と同じであり、ｍは正数、ｎは０又は正数、ｏは正数、ｐは正数、ｑは０又は正数、ｒは０又は１、ｓは０又は１、ただしｎ、ｑ、ｒ及びｓはｎ＋２×ｏ×ｑ＋２×ｒ＋２×ｏ×ｓ≧２を満たす数である。）
【００２２】
また、下記の単位式（５）で表され、１分子当たり２個以上のアルケニル基を有するものが挙げられる。
［Ｒ13ＳｉＯ1/2］t［Ｒ2（Ｒ1）2ＳｉＯ1/2］u［ＳｉＯ4/2］v    （５）
（式中、Ｒ1，Ｒ2は上記と同じであり、ｔは０又は正数、ｕは正数、ｖは正数である。）
【００２３】
（Ａ−２）
１分子当たり３個以上のヒドロシリル基を有するオルガノポリシロキサンは１種単独で又は２種以上を適宜組み合わせて用いることができる。例えば、下記平均組成式（６）
Ｒ3wＨxＳｉＯ(4-w-x)/2
（式中、Ｒ3は独立に、アルケニル基を除く、置換又は非置換の炭素数１〜３０の１価の炭化水素基である。ｗ、ｘは０＜ｗ＜３、０＜ｘ１≦３、及び０．１≦ｗ＋ｘ≦３を満たす正数であり、好ましくは０＜ｗ≦２．２９５、０．００５≦ｘ≦２．３、及び０．５≦ｗ＋ｘ≦２．３を満たす正数である。）
で表されるものが挙げられる。Ｒ3としては、上記Ｒ1と同じものが例示される。
【００２４】
（Ａ−２）成分の構造は、直鎖状、環状、分岐状いずれであってもよい。直鎖状の構造のものとしては、例えば、下記一般式（７）で表されるものが挙げられる。
【００２５】
【化４】
2018115288.tif 000005
（式中、Ｒ3は上記と同じであり、ｙは正数、ｚは正数、ａ１は０又は１、ただしｚ及びａ１は、ｚ＋２×ａ１≧３を満たす数である。）
【００２６】
分岐構造としては、例えば、Ｒ3ＳｉＯ3/2の単位により分岐している下記の一般式で表されるものが挙げられる。
【００２７】
【化５】
2018115288.tif 000006
（式中、Ｒ3は上記と同じであり、ｂ１は正数、ｃ１は０又は正数、ｄ１は正数、ｅ１は正数、ｆ１は０又は正数、ｇ１は０又は１、ｈ１は０又は１、ただしｃ１、ｆ１、ｇ１及びｈ１は、ｃ１＋ｄ１×ｆ１＋２×ｇ１＋ｄ１×ｈ１≧３を満たす数である。
【００２８】
ＳｉＯ4/2の単位により分岐している構造としては、例えば、下記の一般式で表されるものが挙げられる。
【００２９】
【化６】
2018115288.tif 000007
（式中、Ｒ3は上記と同じであり、ｉ１は正数、ｊ１は０又は正数、ｋ１は正数、ｌ１は正数、ｍ１は０又は正数、ｎ１は０又は１、ｏ１は０又は１、ただしｊ１、ｍ１、ｎ１及びｏ１は、ｊ１＋２×ｋ１×ｍ１＋２×ｎ１＋２×ｋ１×ｏ１≧３を満たす数である。
【００３０】
また、下記の単位式（１０）で表され、１分子当たり３個以上のヒドロシリル基を有するものが挙げられる。
［Ｒ33ＳｉＯ1/2］p1［Ｈ（Ｒ3）2ＳｉＯ1/2］q1［ＳｉＯ4/2］r1    （１０）
（式中、Ｒ3は上記と同じであり、ｐ１は０又は正数、ｑ１は正数、ｒ１は正数である。）
【００３１】
（Ａ−３）
分子両末端にヒドロシリル基を有する直鎖状のジオルガノポリシロキサンとしては、１種単独で又は２種以上を適宜組み合わせて用いることができる。例えば、下記一般式（１１）で示される。
【００３２】
【化７】
2018115288.tif 000008
（式中のＲ4は独立に、アルケニル基を除く、置換又は非置換の炭素数１〜３０の１価の炭化水素基である。ｓ１は、５〜１，０００の正数であり、好ましくは１０〜５００の正数である。）なお、Ｒ4としては、Ｒ1と同じものが例示される。
【００３３】
（Ａ−１）成分のアルケニル基含有オルガノポリシロキサン及び（Ａ−２）成分の１分子当たり３個以上のヒドロシリル基を有するオルガノポリシロキサンは特に粘度は限定されず、また固体状のものも含んでいてもよい。（Ａ−３）成分の分子両末端にヒドロシリル基を含有する直鎖状のジオルガノポリシロキサンは、２５℃における動粘度が１０，０００ｍｍ2／ｓ以下であることが好ましく、より好ましくは１，０００ｍｍ2／ｓ以下である。（Ａ−１）成分、（Ａ−２）成分及び（Ａ−３）成分の混合溶解液は、２５℃における動粘度１０，０００ｍｍ2／ｓ以下であることが好ましく、より好ましくは１，０００ｍｍ2／ｓ以下である。動粘度が１０，０００ｍｍ2／ｓを超えると、後述する製造方法において、粒径を小さくすることが難しくなるおそれがある。なお、本発明において、動粘度はオストワルド粘度計による２５℃の測定値である。
【００３４】
（Ａ−１）成分のアルケニル基含有オルガノポリシロキサンと、（Ａ−２）成分の１分子当たり３個以上のヒドロシリル基を有するオルガノポリシロキサン及び（Ａ−３）成分の分子両末端にヒドロシリル基を含有する直鎖状のジオルガノポリシロキサンとの質量比は、（Ａ−１）成分のアルケニル基１モルに対する（Ａ−２）成分及び（Ａ−３）成分の合計のヒドロシリル基のモル数が０．５〜２．０となる範囲が好ましく、より好ましくは０．８〜１．５の範囲である。
【００３５】
（Ａ−２）成分の１分子当たり３個以上のヒドロシリル基を有するオルガノポリシロキサンと（Ａ−３）成分の分子両末端にヒドロシリル基を含有する直鎖状のジオルガノポリシロキサンの質量比については、（Ａ−３）成分の比率が低くなりすぎると、得られる皮膜は伸びがなく脆いものとなるおそれがあり、（Ａ−３）成分の比率が高くなりすぎると皮膜が形成されず、ゲル状や液状体となるおそれがある。比率の点からは、（Ａ−２）成分と（Ａ−３）成分の質量比（Ａ−２）：（Ａ−３）は、一概にいえないが、５：９５〜９０：１０の範囲が好ましく、１０：９０〜８０：２０の範囲がより好ましい。
【００３６】
［白金族金属系触媒］
（Ａ）成分のシリコーンエラストマーは、アルケニル基含有オルガノポリシロキサンとヒドロシリル基を有するオルガノポリシロキサンとの付加反応生成物であるが、このアルケニル基とヒドロシリル基の付加反応には、周知されている白金族金属系触媒を用いることができる。例えば、白金（白金黒を含む）、ロジウム、パラジウム等の白金族金属単体；Ｈ2ＰｔＣｌ4・ｋＨ2Ｏ、Ｈ2ＰｔＣｌ6・ｋＨ2Ｏ、ＮａＨＰｔＣｌ6・ｋＨ2Ｏ、ＫＨＰｔＣｌ6・ｋＨ2Ｏ、Ｎａ2ＰｔＣｌ6・ｋＨ2Ｏ、Ｋ2ＰｔＣｌ4・ｋＨ2Ｏ、ＰｔＣｌ4・ｋＨ2Ｏ、ＰｔＣｌ2、Ｎａ2ＨＰｔＣｌ4・ｋＨ2Ｏ（但し、式中、ｋは０〜６の整数であり、好ましくは０又は６である）等の塩化白金、塩化白金酸及び塩化白金酸塩；アルコール変性塩化白金酸（米国特許第３，２２０，９７２号明細書参照）；塩化白金、塩化白金酸とオレフィンとのコンプレックス（米国特許第３，１５９，６０１号明細書、同第３，１５９，６６２号明細書、同第３，７７５，４５２号明細書参照）、塩化白金酸とビニル基含有シロキサンとのコンプレックス、白金とビニル基含有シロキサンとのコンプレックス；白金黒、パラジウム等の白金族金属をアルミナ、シリカ、カーボン等の担体に担持させたもの；ロジウム−オレフィンコンプレックス；クロロトリス（トリフェニルフォスフィン）ロジウム（ウィルキンソン触媒）等が挙げられる。
【００３７】
白金族金属系触媒の配合量は、付加反応を進行するための有効量でよい。例えば、白金を含有する触媒においては、（Ａ−１）成分、（Ａ−２）成分及び（Ａ−３）成分の合計質量に対する触媒中の白金の質量換算量が、０．１〜１００ｐｐｍ（質量）程度、好ましくは０．５〜５０ｐｐｍ程度、さらに好ましくは１〜３０ｐｐｍ程度となる量である。
【００３８】
（Ａ）成分のシリコーンエラストマーは、シリコーンオイル、シリコーンレジン、オルガノシラン、無機系粉末、有機系粉末、酸化防止剤等を含有していてもよい。
【００３９】
（Ａ）成分のシリコーンエラストマーは、特定のアルケニル基含有オルガノポリシロキサン（Ａ−１）と、特定のヒドロシリル基を有するオルガノポリシロキサン（Ａ−２）及び（Ａ−３）との付加反応生成物であるシリコーンエラストマーであり、使用する（Ａ−１）〜（Ａ−３）成分、その比率によって、得られるシリコーンエラストマーの構造が複雑に決定する。
【００４０】
（Ａ）成分のアルケニル基含有オルガノポリシロキサンとヒドロシリル基を有するオルガノポリシロキサンとの付加反応生成物であり、水に分散した状態であるため、粒子状である。その体積平均粒径は１０μｍ以下が好ましく、より好ましくは１μｍ以下である。下限は特に限定されないが、０．１μｍ以上にすることもできる。体積平均粒径が１０μｍより大きいと、形成される皮膜は伸びがなく、脆いものとなる。なお、本発明において、体積平均粒径はレーザー回折／散乱法粒径測定装置による測定である。
【００４１】
［（Ｂ）成分］
本発明において、（Ｂ）成分のアニオン性界面活性剤は、水性シリコーン分散液における（Ａ）成分のシリコーンエラストマーの分散剤として機能する一方、後記する（Ａ）成分の原料であるアルケニル基含有オルガノポリシロキサンとヒドロシリル基を有するオルガノポリシロキサンの乳化における乳化剤である。アニオン性界面活性剤は１種単独で又は２種以上を適宜組み合わせて用いることができる。
【００４２】
アニオン性界面活性剤としては、例えば、ラウリル硫酸ナトリウム等のアルキル硫酸エステル塩、ポリオキシエチレンアルキルエーテル硫酸エステル塩、ポリオキシエチレンアルキルフェニルエーテル硫酸エステル塩、脂肪酸アルキロールアミドの硫酸エステル塩、アルキルベンゼンスルホン酸塩、ポリオキシエチレンアルキルフェニルエーテルスルホン酸塩、α−オレフィンスルホン酸塩、α−スルホ脂肪酸エステル塩、アルキルナフタレンスルホン酸、アルキルジフェニルエーテルジスルホン酸塩、アルカンスルホン酸塩、Ｎ−アシルタウリン酸塩、ジアルキルスルホコハク酸塩、モノアルキルスルホコハク酸塩、ポリオキシエチレンアルキルエーテルスルホコハク酸塩、脂肪酸塩、ポリオキシエチレンアルキルエーテルカルボン酸塩、Ｎ−アシルアミノ酸塩、モノアルキルリン酸エステル塩、ジアルキルリン酸エステル塩、ポリオキシエチレンアルキルエーテルリン酸エステル塩等が挙げられる。エラストマー皮膜の伸びや引張強度の点から、アルキル硫酸エステル塩が好ましい。
【００４３】
（Ｂ）成分の配合量は、（Ａ）成分のシリコーンエラストマー１００質量部に対して、０．１〜５質量部であり、好ましくは０．５〜２質量部である。５質量部より多いと得られる皮膜は伸びのない脆いものとなり、０．１質量部より少ないと後記する（Ａ）成分の原料の乳化で、粒径が大きくなったり、乳化できなくなる。
【００４４】
［（Ｃ）成分］
本発明において、（Ｃ）成分のノニオン性界面活性剤は、水性シリコーン分散液における（Ａ）成分のシリコーンエラストマーの分散剤として機能する一方、後記する（Ａ）成分の原料であるアルケニル基含有オルガノポリシロキサンとヒドロシリル基を有するオルガノポリシロキサンの乳化における乳化剤や白金族金属系触媒の分散剤である。
【００４５】
ノニオン性界面活性剤としては、例えば、ポリオキシエチレンアルキルエーテル、ポリオキシエチレンポリオキシプロピレンアルキルエーテル、ポリオキシエチレンアルキルフェニルエーテル、ポリエチレングリコール脂肪酸エステル、ポリオキシエチレンソルビタン脂肪酸エステル、ポリオキシエチレンソルビット脂肪酸エステル、ポリオキシエチレングリセリン脂肪酸エステル、ポリグリセリン脂肪酸エステル、プロピレングリコール脂肪酸エステル、ポリオキシエチレンヒマシ油、ポリオキシエチレン硬化ヒマシ油、ポリオキシエチレン硬化ヒマシ油脂肪酸エステル、ポリオキシエチレンアルキルアミン、ポリオキシエチレン脂肪酸アミド、ポリオキシエチレン変性オルガノポリシロキサン、ポリオキシエチレンポリオキシプロピレン変性オルガノポリシロキサン等が挙げられる。ノニオン性界面活性剤は、１種を単独で又は２種以上を併用することができる。２種以上を併用する場合には、ソルビタン脂肪酸エステル、グリセリン脂肪酸エステル等のポリエーテルを含有しないノニオン性界面活性剤も併用してもよい。
【００４６】
なお、本発明においてノニオン性界面活性剤は任意成分であり、造膜性を低下させるため、少ない方が好ましい。（Ｃ）成分の配合量は、（Ａ）成分のシリコーンエラストマー１００質量部に対して、０〜２質量部であり、好ましくは０〜１質量部、より好ましくは０〜０．５質量部である。
【００４７】
［（Ｄ）成分］
本発明において、（Ｄ）成分のコロイダルシリカは、得られるシリコーンエラストマー皮膜の伸びや引張強度を向上させる機能がある。コロイダルシリカはナノサイズのシリカであり、その粒径は、１０〜３００ｎｍが好ましく、より好ましくは１０〜５０ｎｍである。なお、粒径の測定は、透過型電子顕微鏡観察によるものである。
【００４８】
本発明において、コロイダルシリカは水に分散したタイプのいわゆるシリカゾルを使用する。その水分散液中のコロイダルシリカの濃度は特に限定されず、例えば、１０〜６０質量％である。そのｐＨは特に限定されないが、皮膚に適用されることから、４〜１０の範囲が好ましい。
【００４９】
なお、本発明において（Ｄ）成分は任意成分であり、（Ｄ）成分の配合量は、（Ａ）成分のシリコーンエラストマー１００質量部に対して、０〜３５質量部であり、好ましくは０〜２５質量部である。３５質量部より多くすると、得られる皮膜は伸びのない脆いものとなる。
【００５０】
［（Ｅ）成分］
本発明において、（Ｅ）成分の水は、（Ａ）成分のシリコーンエラストマー及び（Ｄ）成分のコロイダルシリカの分散媒である。（Ｅ）成分の配合量は、（Ａ）成分と（Ｄ）成分との合計１００質量部に対し１５〜２００質量部であり、２５〜１５０質量部が好ましい。２００質量部より多いと、乾燥速度が遅くなり皮膜形成に時間がかかり、１５質量部より少ないと水性シリコーン分散液の粘度が高くなり、製造が困難になったり取扱いにくくなる。
【００５１】
［その他成分］
本発明の水性シリコーン分散液には、（Ａ）成分の分散性を向上させる目的等で、水溶性高分子化合物を含んでいてもよい。水溶性高分子化合物は、特に限定されず、非イオン性水溶性高分子化合物、アニオン性水溶性高分子化合物、カチオン性水溶性高分子化合物、及び両イオン性水溶性高分子化合物が挙げられる。
【００５２】
非イオン性水溶性高分子化合物としては、例えば、ビニルアルコールと酢酸ビニルの共重合体、アクリルアミドの重合体、ビニルピロリドンの重合体、ビニルピロリドンと酢酸ビニルの共重合体、ポリエチレングリコール、イソプロピルアクリルアミドの重合体、メチルビニルエーテルの重合体、デンプン、メチルセルロース、ヒドロキシエチルセルロース、ヒドロキシプロピルセルロース、グアーガム、キタンサンガム等が挙げられる。
【００５３】
アニオン性水溶性高分子化合物としては、例えば、アクリル酸ナトリウムの重合体、アクリル酸ナトリウムとマレイン酸ナトリウムとの共重合体、アクリル酸ナトリウムとアクリルアミドの共重合体、スチレンスルホン酸ナトリウムの重合体、ポリイソプレンスルホン酸ナトリウムとスチレンとの共重合体、ナフタレンスルホン酸ナトリウムの重合体、カルボキシメチルデンプン、リン酸デンプン、カルボキシメチルセルロース、アルギン酸ナトリウム、アラビアガム、カラギーナン、コンドロイチン硫酸ナトリウム、ヒアルロン酸ナトリウム等が挙げられる。
【００５４】
カチオン性水溶性高分子化合物としては、例えば、ジメチルジアリルアンモニウムクロライドの重合体、ビニルイミダゾリンの重合体、メチルビニルイミダゾリウムクロライドの重合体、アクリル酸エチルトリメチルアンモニウムクロライドの重合体、メタクリル酸エチルトリメチルアンモニウムクロライドの重合体、アクリルアミドプロピルトリメチルアンモニウムクロライドの重合体、メタクリルアミドプロピルトリメチルアンモニウムクロライドの重合体、エピクロルヒドリン／ジメチルアミン重合体、エチレンイミンの重合体、エチレンイミンの重合体の４級化物、アリルアミン塩酸塩の重合体、ポリリジン、カチオンデンプン、カチオン化セルロース、キトサン、及びこれらに非イオン性基やアニオン性基を持つモノマーを共重合する等したこれらの誘導体等が挙げられる。
【００５５】
両イオン性水溶性高分子化合物としては、例えば、アクリル酸エチルトリメチルアンモニウムクロライドとアクリル酸とアクリルアミドの共重合体、メタアクリル酸エチルトリメチルアンモニウムクロライドとアクリル酸とアクリルアミドの共重合体、アクリルアミドの重合体のホフマン分解物等が挙げられる。
【００５６】
本発明の水性シリコーン分散液には、防菌防腐剤や抗菌剤を含んでいてもよい。防菌防腐剤としては、パラオキシ安息香酸アルキルエステル、安息香酸、安息香酸ナトリウム、ソルビン酸、ソルビン酸カリウム、フェノキシエタノール等、抗菌剤としては、安息香酸、サリチル酸、石炭酸、ソルビン酸、パラオキシ安息香酸アルキルエステル、パラクロルメタクレゾール、ヘキサクロロフェン、塩化ベンザルコニウム、塩化クロルヘキシジン、トリクロロカルバニリド、感光素、フェノキシエタノール等が挙げられる。
【００５７】
［製造方法］
本発明の水性シリコーン分散液は、（Ａ）成分の原料であるアルケニル基含有オルガノポリシロキサンとヒドロシリル基を有するオルガノポリシロキサンとを、（Ｂ）成分のアニオン性界面活性剤を用いて（Ｅ）成分の水に乳化した後、白金族金属系触媒を添加し、付加反応を行うことによって製造できる。乳化の際に、（Ｃ）成分のノニオン性界面活性剤を配合してもよい。
【００５８】
乳化は一般的な乳化分散機を用いて行えばよい。該乳化分散機としては、例えば、ホモディスパー等の高速回転遠心放射型撹拌機、ホモミキサー等の高速回転剪断型撹拌機、圧力式ホモジナイザー等の高圧噴射式乳化分散機、コロイドミル、超音波乳化機等が挙げられる。
【００５９】
（Ａ）成分のシリコーンエラストマー中に、シリコーンオイル、シリコーンレジン、オルガノシラン、無機系粉末、有機系粉末や酸化防止剤を含有させる場合には、予め（Ａ）成分の原料とこれらを混合しておけばよい。
【００６０】
白金族金属系触媒は、前記したとおり乳化工程後に添加してもよいが、予め（Ａ）成分の原料に溶解させておいてもよい。白金族金属系触媒を乳化工程後に添加する場合には、溶媒に溶解して添加してもよい。また、水に対する分散性が悪い場合には、白金族金属系触媒を（Ｃ）成分のノニオン性界面活性剤に溶解した状態で添加することがよい。白金族金属系触媒を予め（Ａ）成分の原料に溶解させておく場合には、乳化工程が終了するまでの間に付加反応が起こらないように、例えば５℃以下の低温に冷却しておくのがよい。付加反応は、常温、例えば２０〜２５℃で行うことができる。反応が完結しない場合には、１００℃未満の加熱下で行ってもよい。反応の為の撹拌時間は特に制限さないが、通常、１〜２４時間である。
【００６１】
（Ｄ）成分のコロイダルシリカを配合する場合は、前記したように、水を分散媒としたコロイダルシリカ分散液を使用する。乳化工程の後又は付加反応工程の後に添加することが好ましい。
【００６２】
［水性シリコーン分散液］
本発明の水性シリコーン分散液には、（Ａ）１分子当たり２個以上のアルケニル基を有するアルケニル基含有オルガノポリシロキサン（Ａ−１）と、１分子当たり３個以上のヒドロシリル基を有するオルガノポリシロキサン（Ａ−２）及び分子両末端にヒドロシリル基を有する直鎖状のジオルガノポリシロキサン（Ａ−３）との付加反応生成物であるシリコーンエラストマーが分散されている。また、分散液のｐＨは特に限定されないが、皮膚に適用されることから、４〜１０の範囲が好ましい。なお、本発明において、「水性」とは水で容易に希釈できるものであることを意味する。
【００６３】
［エラストマー皮膜］
本発明の水性シリコーン分散液は、常温乾燥によりエラストマー皮膜を形成する。エラストマー皮膜は、べたつきがあってもよいが、ゲル状ではない。乾燥温度は１〜２５０℃から適宜選定され、２５℃等の室温でも皮膜を形成できる。乾燥時間は数秒〜１週間が好ましい。
【００６４】
エラストマー皮膜のゴム硬さ、切断時伸び、切断時引張強さは以下の通りである。ゴム硬さが低すぎたり、伸びが低すぎたり、引張強さが低すぎたりすると、例えば、水性シリコーン分散液をパック化粧料に用いた場合、皮膚から膜状に剥離することが困難になると考えられ、また、まつ毛用化粧料に用いた場合、塗擦により容易に脱落してしまうと考えられる。
［エラストマーシートの作製方法]
ポリプロピレン製トレイに、乾燥後の厚みが約１ｍｍとなる量の水性シリコーン分散液を流し込み、２５℃にて４８時間乾燥し、エラストマーシートを作製する。
［ゴム硬さ]
前記方法にて作製したエラストマーシートについて、ＪＩＳ  Ｋ  ６２５１  に規定される方法にて、タイプＡのデュロメータ試験機のゴム硬さを測定する。タイプＡのデュロメータ試験機のゴム硬さが１０未満の場合には、日本ゴム協会標準規格（ＳＲＩＳ）に規定される方法にて、アスカーＣ試験機のゴム硬さを測定する。エラストマーシートのアスカーＣ試験機のゴム硬さは５以上が好ましく、３０以上がより好ましい。上限は特に限定されないが、タイプＡのデュロメータ試験機のゴム硬さ６０以下にすることもできる。
［切断時伸び、切断時引張強さ］
エラストマーシートのダンベル形状３号形試験片の切断時伸び（ＪＩＳ  Ｋ  ６２５１に規定された試験方法）は、２０％以上が好ましく、５０％以上がより好ましい。上限は特に限定されないが、１，０００％以下にすることもできる。エラストマーシートの切断時引張強さ（ＪＩＳ  Ｋ  ６２５１に規定された試験方法）は、０．０５ＭＰａ以上が好ましく、０．１０ＭＰａ以上がより好ましい。上限は特に限定されないが、５．０ＭＰａ以下にすることもできる。
【００６５】
［用途］
本発明の水性シリコーン分散液は、伸び及び強度のあるシリコーンエラストマーの皮膜を、常温乾燥で速やかに形成でき、特にアミノ基やエポキシ基を含有Ｓせず皮膚への安全性が懸念されないことから、メークアップ化粧料、パック化粧料、まつ毛用化粧料等に配合することができる。また、メークアップ化粧料の耐移り性剤、皮膜形成性のパック化粧料の皮膜形成剤、まつ毛用化粧料の滑り性やボリューム付与剤等として有用である。水性シリコーン分散液の化粧料中の配合量は特に限定されないが、１０〜９５質量％の範囲で適宜配合される。化粧料に用いる場合は、皮膜が形成される対象としては、皮膚、毛髪、爪、睫毛等が挙げられる。また、紙の撥水剤、防水剤、剥離剤、繊維製品の撥水剤、風合い改良剤、コンクリート、モルタル、木材の撥水剤、防水剤、酸化チタン粒子等の無機粒子を含有したコーティング剤のバインダー等の用途が挙げられる。
【実施例】
【００６６】
以下、実施例及び比較例を示し、本発明を具体的に説明するが、本発明は下記の実施例に制限されるものではない。なお、下記実施例中、動粘度はオストワルド粘度計により２５℃において測定した値であり、濃度及び含有率を表す「％」は「質量％」を示す。
【００６７】
なお、「エラストマーシートの作製方法、ゴム硬さ、切断時伸び、切断時引張強さの測定方法」は以下の通りである。
［エラストマーシートの作製方法]
ポリプロピレン製トレイに、乾燥後の厚みが約１ｍｍとなる量の水性シリコーン分散液を流し込み、２５℃にて４８時間乾燥し、エラストマーシートを作製した。
［ゴム硬さの測定方法］
トレイよりエラストマーシートを剥がし、ＪＩＳ  Ｋ  ６２５１  に規定される方法にて、タイプＡのデュロメータ試験機のゴム硬さを測定した。タイプＡのデュロメータ試験機のゴム硬さが１０未満の場合には、日本ゴム協会標準規格（ＳＲＩＳ）に規定される方法にて、アスカーＣ試験機のゴム硬さを測定した。
【００６８】
［切断時伸び、切断時引張強さの測定方法］
ＪＩＳ  Ｋ  ６２５１  に規定される方法にて、ダンベル形状３号形試験片の切断時伸び及び切断時引張強さを試験した。
【００６９】
［実施例１］
下記式（Ａ−１’）で示される、動粘度が１３０ｍｍ2／ｓ、ビニル基量が０．０３５ｍｏｌ／１００ｇの分子両末端にビニル基を含有するジメチルポリシロキサン２７１ｇ、下記式（Ａ−２’）で示される、動粘度が４３０ｍｍ2／ｓ、ヒドロシリル基量が０．０４０ｍｏｌ／１００ｇのヒドロシリル基を含有するメチルポリシロキサン１３７ｇ、及び下記式（Ａ−３’）で示される、動粘度が３５ｍｍ2／ｓ、ヒドロシリル基量が０．０６６ｍｏｌ／１００ｇの分子両末端にヒドロシリル基を含有する直鎖状のジメチルポリシロキサン９２ｇを、容量１リットルのガラスビーカーに仕込み、ホモミキサーを用いて２，０００ｒｐｍで撹拌溶解させた。ここで、下記式（Ａ−１’）のビニル基を含有するジメチルポリシロキサンのビニル基１個に対し、下記式（Ａ−２’）のヒドロシリル基を含有するメチルポリシロキサンと下記式（Ａ−３’）の分子両末端にヒドロシリル基を含有する直鎖状のジメチルポリシロキサンのヒドロシリル基の合計は１．２２個である。また、式（Ａ−２’）のヒドロシリル基を含有するメチルポリシロキサンと式（Ａ−３’）の分子両末端にヒドロシリル基を含有する直鎖状のジメチルポリシロキサンの質量比は６０：４０である。
【００７０】
【化８】
2018115288.tif 000009
【００７１】
次いで、ラウリル硫酸ナトリウム５ｇ（シリコーンエラストマー１００質量部に対し、１．０質量部となる量）と水１３０ｇを加え、ホモミキサーを用いて８，０００ｒｐｍで撹拌したところ、水中油滴型となり、増粘が認められ、さらに、１５分間撹拌を継続した。２，０００ｒｐｍで撹拌しながら、水３５３ｇを加え希釈した。１００ＭＰａの圧力の条件でホモジナイザーに通し、均一な白色エマルジョンを得た。
【００７２】
得られたエマルジョン７９０ｇを錨型撹拌翼による撹拌装置の付いた容量２リットルのガラスフラスコに移し、２０〜２５℃に温調した後、撹拌下に白金−ビニル基含有シロキサンコンプレックスのイソドデカン溶液（白金含有量０．５％）０．６ｇとポリオキシエチレンラウリルエーテル（エチレンオキサイド付加モル数＝９モル）１．１ｇ（シリコーンエラストマー１００質量部に対し、０．２８質量部となる量）の混合溶解物を添加し、同温度で１２時間撹拌し、式（Ａ−１’）のビニル基を含有するジメチルポリシロキサンと、式（Ａ−２’）のヒドロシリル基を含有するメチルポリシロキサンと及び式（Ａ−３’）の分子両末端にヒドロシリル基を含有する直鎖状のジメチルポリシロキサンの付加反応を行った。次いで、抗菌剤であるフェノキシエタノール８ｇを添加し、同温度で１０分間撹拌し、水性シリコーン分散液を得た。水性シリコーン分散液中における水の量は、上記（Ａ）成分の合計１００質量部に対し、９６．６質量部であった。
【００７３】
得られた水性シリコーン分散液中に含まれるシリコーンエラストマーの体積平均粒径をレーザー回折／散乱式粒子径分布測定装置「ＬＡ−９６０」（（株）堀場製作所製）を用いて測定したところ、９００ｎｍであった。
得られた水性シリコーン分散液を上記の方法で乾燥したところ、タックのあるシートが得られた。アスカーＣゴム硬さは８、切断時伸びは６５％、切断時引張強さは０．０８ＭＰａであった。
得られた水性シリコーン分散液を手の甲にスポイトを用いて約０．０２ｇ垂らし、指で直径約２ｃｍの大きさに広げた。３分間風乾した後、指で強く擦ったところ、固形物がよれて脱落し、柔らかい皮膜が形成していたと判断された。
【００７４】
［実施例２］
実施例１と同様にしてで得られた水性シリコーン分散液に、濃度４０％のコロイダルシリカ水分散液（商品名：ＣＯＳＭＯ  Ｓ−４０、日揮触媒化成（株）製）５３ｇ（シリコーンエラストマー１００質量部に対し、コロイダルシリカ５．３質量部となる量）を添加し、１０分間撹拌し、水性シリコーン分散液を得た。水性シリコーン分散液中における水の量は、上記（Ａ）成分とコロイダルシリカとの合計１００質量部に対し、９６．９質量部であった。
【００７５】
得られた水性シリコーン分散液を上記の方法で乾燥したところ、シートはタックのあるものであった。アスカーＣゴム硬さは２６、切断時伸びは１３０％、切断時引張強さは０．１５ＭＰａであった。
得られた水性シリコーン分散液を手の甲にスポイトを用いて約０．０２ｇ垂らし、指で直径約２ｃｍの大きさに広げた。３分間風乾した後、指で強く擦ったところ、固形物がよれて脱落し、柔らかい皮膜が形成していたと判断された。
【００７６】
［実施例３］
実施例１と同様にしてで得られた水性シリコーン分散液に、濃度４０％のコロイダルシリカ水分散液（商品名：ＣＯＳＯＭＰ  Ｓ−４０、日揮触媒化成（株）製）１１１ｇ（シリコーンエラストマー１００質量部に対し、コロイダルシリカ１１．１質量部となる量）を添加し、１０分間撹拌し、水性シリコーン分散液を得た。水性シリコーン分散液中における水の量は、上記（Ａ）成分とコロイダルシリカとの合計１００質量部に対し、１００．８質量部であった。
【００７７】
得られた水性シリコーン分散液を上記の方法で乾燥したところ、タックのあるシートが得られた。タイプＡデュロメータゴム硬さは１６、切断時伸びは２３０％、切断時引張強さは０．３６ＭＰａであった。
得られた水性シリコーン分散液を手の甲にスポイトを用いて約０．０２ｇ垂らし、指で直径約２ｃｍの大きさに広げた。３分間風乾した後、指で強く擦ったところ、固形物がよれて脱落し、柔らかい皮膜が形成していたと判断された。
【００７８】
［実施例４］
実施例１と同様にして得られた水性シリコーン分散液に、濃度４０％のコロイダルシリカ水分散液（商品名：ＣＯＳＭＯ  Ｓ−４０、日揮触媒化成（株）製）１７７ｇ（シリコーンエラストマー１００質量部に対し、コロイダルシリカ１７．７質量部となる量）を添加し、１０分間撹拌し、水性シリコーン分散液を得た。水性シリコーン分散液中における水の量は、上記（Ａ）成分とコロイダルシリカとの合計１００質量部に対し、１０３．６質量部であった。
【００７９】
得られた水性シリコーン分散液を上記の方法で乾燥したところ、タックのないシートが得られた。タイプＡデュロメータゴム硬さは３２、切断時伸びは２７０％、切断時引張強さは０．８１ＭＰａであった。
得られた水性シリコーン分散液を手の甲にスポイトを用いて約０．０２ｇ垂らし、指で直径約２ｃｍの大きさに広げた。３分間風乾した後、指で強く擦ったところ、固形物がよれて脱落し、柔らかい皮膜が形成していたと判断された。
【００８０】
［実施例５］
上記式（Ａ−１’）で示される、動粘度が１３０ｍｍ2／ｓ、ビニル基量が０．０３５ｍｏｌ／１００ｇの分子両末端にビニル基を含有するジメチルポリシロキサン２３５ｇ、下記単位式
［（ＣＨ3）3ＳｉＯ1/2］t［ＣＨ2＝ＣＨ（ＣＨ3）2ＳｉＯ1/2］u［ＳｉＯ4/2］v
（式中、ｔ：ｕ：ｖ＝３６：６：５８）
で示される固体状でビニル基量が０．０８６ｍｏｌ／１００ｇのビニル基を含有するポリシロキサンレジン２５ｇ、上記式（Ａ−２’）で示される、動粘度が４３０ｍｍ2／ｓ、ヒドロシリル基量が０．０４０ｍｏｌ／１００ｇのヒドロシリル基を含有するメチルポリシロキサン１１９ｇ、及び上記式（Ａ−３’）で示される、動粘度が３５ｍｍ2／ｓ、ヒドロシリル基量が０．０６６ｍｏｌ／１００ｇの分子両末端にヒドロシリル基を含有する直鎖状のジメチルポリシロキサン１２１ｇを、容量１リットルのガラスビーカーに仕込み、ホモミキサーを用いて２，０００ｒｐｍで撹拌溶解させた。ここで、上記式（Ａ−１’）のビニル基を含有するジメチルポリシロキサンのビニル基１個に対し、上記式（Ａ−２’）のヒドロシリル基を含有するメチルポリシロキサンと上記式（Ａ−３’）の分子両末端にヒドロシリル基を含有する直鎖状のジメチルポリシロキサンのヒドロシリル基の合計は１．２２個である。また、上記式（Ａ−２’）のヒドロシリル基を含有するメチルポリシロキサンと上記式（Ａ−３’）の分子両末端にヒドロシリル基を含有する直鎖状のジメチルポリシロキサンの質量比は５０：５０である。
【００８１】
次いで、ラウリル硫酸ナトリウム５ｇ（シリコーンエラストマー１００質量部に対し、１．０質量部となる量）と水１３０ｇを加え、ホモミキサーを用いて８，０００ｒｐｍで撹拌したところ、水中油滴型となり、増粘が認められ、さらに、１５分間撹拌を継続した。２，０００ｒｐｍで撹拌しながら、水３５３ｇを加え希釈した。１００ＭＰａの圧力の条件でホモジナイザーに通し、均一な白色エマルジョンを得た。
【００８２】
得られたエマルジョン７９０ｇを錨型撹拌翼による撹拌装置の付いた容量２リットルのガラスフラスコに移し、２０〜２５℃に温調した後、撹拌下に白金−ビニル基含有シロキサンコンプレックスのイソドデカン溶液（白金含有量０．５％）０．６ｇとポリオキシエチレンラウリルエーテル（エチレンオキサイド付加モル数＝９モル）１．１ｇ（シリコーンエラストマー１００質量部に対し、０．２８質量部となる量）の混合溶解物を添加し、同温度で１２時間撹拌し、上記式（Ａ−１’）のビニル基を含有するジメチルポリシロキサンと、上記式（Ａ−２’）のヒドロシリル基を含有するメチルポリシロキサンと及び上記式（Ａ−３’）の分子両末端にヒドロシリル基を含有する直鎖状のジメチルポリシロキサンの付加反応を行った。次いで、抗菌剤であるフェノキシエタノール８ｇを添加し、同温度で１０分間撹拌し、水性シリコーン分散液を得た。水性シリコーン分散液中における水の量は、上記（Ａ）成分１００質量部に対し、９６．６質量部であった。
【００８３】
得られた水性シリコーン分散液中に含まれるシリコーンエラストマーの体積平均粒径をレーザー回折／散乱式粒子径分布測定装置「ＬＡ−９６０」（（株）堀場製作所製）を用いて測定したところ、７８０ｎｍであった。
得られた水性シリコーン分散液を上記の方法で乾燥したところ、タックのあるシートが得られた。アスカーＣゴム硬さは１２、切断時伸びは１３０％、切断時引張強さは０．１４ＭＰａであった。
得られた水性シリコーン分散液を手の甲にスポイトを用いて約０．０２ｇ垂らし、指で直径約２ｃｍの大きさに広げた。３分間風乾した後、指で強く擦ったところ、固形物がよれて脱落し、柔らかい皮膜が形成していたと判断された。
【００８４】
［実施例６］
実施例５と同様にしてで得られた水性シリコーン分散液に、濃度４０％のコロイダルシリカ水分散液（商品名：ＣＯＳＭＯ  Ｓ−４０、日揮触媒化成（株）製）１７７ｇ（シリコーンエラストマー１００質量部に対し、コロイダルシリカ１７．７質量部となる量）を添加し、１０分間撹拌し、水性シリコーン分散液を得た。水性シリコーン分散液中における水の量は、上記（Ａ）成分とコロイダルシリカとの合計１００質量部に対し、１０３．６質量部であった。
【００８５】
得られた水性シリコーン分散液を上記の方法で乾燥したところ、タックのあるシートが得られた。タイプＡデュロメータゴム硬さは２２、切断時伸びは５４０％、切断時引張強さは０．８０ＭＰａであった。
得られた水性シリコーン分散液を手の甲にスポイトを用いて約０．０２ｇ垂らし、指で直径約２ｃｍの大きさに広げた。３分間風乾した後、指で強く擦ったところ、固形物がよれて脱落し、柔らかい皮膜が形成していたと判断された。
【００８６】
［実施例７］
上記式（Ａ−１’）で示される、動粘度が１３０ｍｍ2／ｓ、ビニル基量が０．０３５ｍｏｌ／１００ｇの分子両末端にビニル基を含有するジメチルポリシロキサン２６６ｇ、上記式（Ａ−２’）で示される、動粘度が４３０ｍｍ2／ｓ、ヒドロシリル基量が０．０４０ｍｏｌ／１００ｇのヒドロシリル基を含有するメチルポリシロキサン１６２ｇ、及び上記式（Ａ−３’）で示される、動粘度が３５ｍｍ2／ｓ、ヒドロシリル基量が０．０６６ｍｏｌ／１００ｇの分子両末端にヒドロシリル基を含有する直鎖状のジメチルポリシロキサン７２ｇを容量１リットルのガラスビーカーに仕込み、ホモミキサーを用いて２，０００ｒｐｍで撹拌溶解させた。ここで、上記式（Ａ−１’）のビニル基を含有するジメチルポリシロキサンのビニル基１個に対し、上記式（Ａ−２’）のヒドロシリル基を含有するメチルポリシロキサンと上記式（Ａ−３’）の分子両末端にヒドロシリル基を含有する直鎖状のジメチルポリシロキサンのヒドロシリル基の合計は１．２１個である。また、上記式（Ａ−２’）のヒドロシリル基を含有するメチルポリシロキサンと上記（Ａ−３’）の分子両末端にヒドロシリル基を含有する直鎖状のジメチルポリシロキサンの質量比は６９：３１である。
【００８７】
次いで、ラウリル硫酸ナトリウム５ｇ（シリコーンエラストマー１００質量部に対し、１．０質量部となる量）と水１３０ｇを加え、ホモミキサーを用いて８，０００ｒｐｍで撹拌したところ、水中油滴型となり、増粘が認められ、さらに、１５分間撹拌を継続した。２，０００ｒｐｍで撹拌しながら、水３５３ｇを加え希釈した。１００ＭＰａの圧力の条件でホモジナイザーに通し、均一な白色エマルジョンを得た。
【００８８】
得られたエマルジョン７９０ｇを錨型撹拌翼による撹拌装置の付いた容量２リットルのガラスフラスコに移し、２０〜２５℃に温調した後、撹拌下に白金−ビニル基含有シロキサンコンプレックスのイソドデカン溶液（白金含有量０．５％）０．６ｇとポリオキシエチレンラウリルエーテル（エチレンオキサイド付加モル数＝９モル）１．１ｇ（シリコーンエラストマー１００質量部に対し、０．２８質量部となる量）の混合溶解物を添加し、同温度で１２時間撹拌し、上記式（Ａ−１’）のビニル基を含有するジメチルポリシロキサンと、上記式（Ａ−２’）のヒドロシリル基を含有するメチルポリシロキサンと及び上記式（Ａ−３’）の分子両末端にヒドロシリル基を含有する直鎖状のジメチルポリシロキサンの付加反応を行った。次いで、抗菌剤であるフェノキシエタノール８ｇを添加し、同温度で１０分間撹拌し、水性シリコーン分散液を得た。
【００８９】
得られた水性シリコーン分散液中に含まれるシリコーンエラストマーの体積平均粒径をレーザー回折／散乱式粒子径分布測定装置「ＬＡ−９６０」（（株）堀場製作所製）を用いて測定したところ、８５０ｎｍであった。
得られた水性シリコーン分散液に、濃度４０％のコロイダルシリカ水分散液（商品名：ＣＯＳＭＯ  Ｓ−４０、日揮触媒化成（株）製）５３ｇ（シリコーンエラストマー１００質量部に対し、コロイダルシリカ５．３質量部となる量）を添加し、１０分間撹拌し、水性シリコーン分散液を得た。水性シリコーン分散液中における水の量は、上記（Ａ）成分とコロイダルシリカとの合計１００質量部に対し、９６．９質量部であった。
【００９０】
得られた水性シリコーン分散液を上記の方法で乾燥したところ、タックのないシートが得られた。タイプＡデュロメータ硬さは１３、切断時伸びは２５％、切断時引張強さは０．１１ＭＰａであった。
得られた水性シリコーン分散液を手の甲にスポイトを用いて約０．０２ｇ垂らし、指で直径約２ｃｍの大きさに広げた。３分間風乾した後、指で強く擦ったところ、固形物がよれて脱落し、柔らかい皮膜が形成していたと判断された。
【００９１】
［実施例８］
上記式（Ａ−１’）で示される、動粘度が１３０ｍｍ2／ｓ、ビニル基量が０．０３５ｍｏｌ／１００ｇの分子両末端にビニル基を含有するジメチルポリシロキサン２７５ｇ、上記式（Ａ−２’）で示される、動粘度が４３０ｍｍ2／ｓ、ヒドロシリル基量が０．０４０ｍｏｌ／１００ｇのヒドロシリル基を含有するメチルポリシロキサン１１２ｇ、及び上記式（Ａ−３’）で示される、動粘度が３５ｍｍ2／ｓ、ヒドロシリル基量が０．０６６ｍｏｌ／１００ｇの分子両末端にヒドロシリル基を含有する直鎖状のジメチルポリシロキサン１１３ｇを、容量１リットルのガラスビーカーに仕込み、ホモミキサーを用いて２，０００ｒｐｍで撹拌溶解させた。ここで、上記（Ａ−１’）のビニル基を含有するジメチルポリシロキサンのビニル基１個に対し、上記（Ａ−２’）のヒドロシリル基を含有するメチルポリシロキサンと上記（Ａ−３’）の分子両末端にヒドロシリル基を含有する直鎖状のジメチルポリシロキサンのヒドロシリル基の合計は１．２４個である。また、上記（Ａ−２’）のヒドロシリル基を含有するメチルポリシロキサンと上記（Ａ−３’）の分子両末端にヒドロシリル基を含有する直鎖状のジメチルポリシロキサンの質量比は５０：５０である。
【００９２】
次いで、ラウリル硫酸ナトリウム５ｇ（シリコーンエラストマー１００質量部に対し、１．０質量部となる量）と水１３０ｇを加え、ホモミキサーを用いて８，０００ｒｐｍで撹拌したところ、水中油滴型となり、増粘が認められ、さらに、１５分間撹拌を継続した。２，０００ｒｐｍで撹拌しながら、水３５３ｇを加え希釈した。１００ＭＰａの圧力の条件でホモジナイザーに通し、均一な白色エマルジョンを得た。
【００９３】
得られたエマルジョン７９０ｇを錨型撹拌翼による撹拌装置の付いた容量２リットルのガラスフラスコに移し、２０〜２５℃に温調した後、撹拌下に白金−ビニル基含有シロキサンコンプレックスのイソドデカン溶液（白金含有量０．５％）０．６ｇとポリオキシエチレンラウリルエーテル（エチレンオキサイド付加モル数＝９モル）１．１ｇ（シリコーンエラストマー１００質量部に対し、０．２８質量部となる量）の混合溶解物を添加し、同温度で１２時間撹拌し、上記式（Ａ−１’）のビニル基を含有するジメチルポリシロキサンと、式上記（Ａ−２’）のヒドロシリル基を含有するメチルポリシロキサンと及び上記式（Ａ−３’）の分子両末端にヒドロシリル基を含有する直鎖状のジメチルポリシロキサンの付加反応を行った。次いで、抗菌剤であるフェノキシエタノール８ｇを添加し、同温度で１０分間撹拌し、水性シリコーン分散液を得た。
【００９４】
得られた水性シリコーン分散液中に含まれるシリコーンエラストマーの体積平均粒径をレーザー回折／散乱式粒子径分布測定装置「ＬＡ−９６０」（（株）堀場製作所製）を用いて測定したところ、８３０ｎｍであった。
得られた水性シリコーン分散液に、濃度４０％のコロイダルシリカ水分散液（商品名：ＣＯＳＭＯ  Ｓ−４０、日揮触媒化成（株）製）１７７ｇ（シリコーンエラストマー１００質量部に対し、コロイダルシリカ１７．７質量部となる量）を添加し、１０分間撹拌し、水性シリコーン分散液を得た。水性シリコーン分散液中における水の量は、上記（Ａ）成分とコロイダルシリカとの合計１００質量部に対し、１０３．６質量部であった。
【００９５】
得られた水性シリコーン分散液を上記の方法で乾燥したところ、タックのないシートが得られた。タイプＡデュロメータ硬さは３２、切断時伸びは２７０％、切断時引張強さは０．８１ＭＰａであった。
得られた水性シリコーン分散液を手の甲にスポイトを用いて約０．０２ｇ垂らし、指で直径約２ｃｍの大きさに広げた。３分間風乾した後、指で強く擦ったところ、固形物がよれて脱落し、柔らかい皮膜が形成していたと判断された。
【００９６】
［実施例９］
上記式（Ａ−１’）で示される、動粘度が１３０ｍｍ2／ｓ、ビニル基量が０．０３５ｍｏｌ／１００ｇの分子両末端にビニル基を含有するジメチルポリシロキサン３２５ｇ、上記式（Ａ−２’）で示される、動粘度が４３０ｍｍ2／ｓ、ヒドロシリル基量が０．０４０ｍｏｌ／１００ｇのヒドロシリル基を含有するメチルポリシロキサン１７２ｇ、及び上記式（Ａ−３’）で示される、動粘度が３５ｍｍ2／ｓ、ヒドロシリル基量が０．０６６ｍｏｌ／１００ｇの分子両末端にヒドロシリル基を含有する直鎖状のジメチルポリシロキサン１０３ｇを、容量１リットルのガラスビーカーに仕込み、ホモミキサーを用いて２，０００ｒｐｍで撹拌溶解させた。ここで、上記（Ａ−１’）のビニル基を含有するジメチルポリシロキサンのビニル基１個に対し、上記（Ａ−２’）のヒドロシリル基を含有するメチルポリシロキサンと上記（Ａ−３’）の分子両末端にヒドロシリル基を含有する直鎖状のジメチルポリシロキサンのヒドロシリル基の合計は１．２０個である。また、上記（Ａ−２’）のヒドロシリル基を含有するメチルポリシロキサンと上記（Ａ−３’）の分子両末端にヒドロシリル基を含有する直鎖状のジメチルポリシロキサンのヒドロシリル基の質量比は６３：３７である。
【００９７】
次いで、ラウリル硫酸ナトリウム６ｇ（シリコーンエラストマー１００質量部に対し、１．０質量部となる量）、抗菌剤であるフェノキシエタノール１０ｇ、及び水１６０ｇを加え、ホモミキサーを用いて８，０００ｒｐｍで撹拌したところ、水中油滴型となり、増粘が認められ、さらに、１５分間撹拌を継続した。２，０００ｒｐｍで撹拌しながら、水２２２ｇを加え希釈した。１００ＭＰａの圧力の条件でホモジナイザーに通し、均一な白色エマルジョンを得た。
【００９８】
得られたエマルジョン７９８ｇを錨型撹拌翼による撹拌装置の付いた容量２リットルのガラスフラスコに移し、２０〜２５℃に温調した後、撹拌下に白金−ビニル基含有シロキサンコンプレックスのイソドデカン溶液（白金含有量０．５％）０．６ｇとポリオキシエチレンラウリルエーテル（エチレンオキサイド付加モル数＝９モル）０．６ｇ（シリコーンエラストマー１００質量部に対し、０．１３質量部となる量）の混合溶解物を添加し、同温度で１２時間撹拌し、上記（Ａ−１’）のビニル基を含有するジメチルポリシロキサンと、上記（Ａ−２’）のヒドロシリル基を含有するメチルポリシロキサンと及び上記（Ａ−３’）の分子両末端にヒドロシリル基を含有する直鎖状のジメチルポリシロキサンの付加反応を行い、水性シリコーン分散液を得た。
【００９９】
得られた水性シリコーン分散液中に含まれるシリコーンエラストマーの体積平均粒径をレーザー回折／散乱式粒子径分布測定装置「ＬＡ−９６０」（（株）堀場製作所製）を用いて測定したところ、６３０ｎｍであった。
得られた水性シリコーン分散液に、濃度４０％のコロイダルシリカ水分散液（商品名：ＣＯＳＭＯ  Ｓ−４０、日揮触媒化成（株）製）２１２ｇ（シリコーンエラストマー１００質量部に対し、コロイダルシリカ１７．７質量部となる量）を添加し、１０分間撹拌し、水性シリコーン分散液を得た。水性シリコーン分散液中における水の量は、上記（Ａ）成分とコロイダルシリカとの合計１００質量部に対し、７６．６質量部であった。
【０１００】
得られた水性シリコーン分散液を上記の方法で乾燥したところ、タックのないシートが得られた。タイプＡデュロメータ硬さは４２、切断時伸びは２００％、切断時引張強さは１．１ＭＰａであった。
得られた水性シリコーン分散液を手の甲にスポイトを用いて約０．０２ｇ垂らし、指で直径約２ｃｍの大きさに広げた。３分間風乾した後、指で強く擦ったところ、固形物がよれて脱落し、柔らかい皮膜が形成していたと判断された。
【０１０１】
［実施例１０］
上記式（Ａ−１’）で示される、動粘度が１３０ｍｍ2／ｓ、ビニル基量が０．０３５ｍｏｌ／１００ｇの分子両末端にビニル基を含有するジメチルポリシロキサン２７５ｇ、上記式（Ａ−２’）で示される、動粘度が４３０ｍｍ2／ｓ、ヒドロシリル基量が０．０４０ｍｏｌ／１００ｇのヒドロシリル基を含有するメチルポリシロキサン１１２ｇ、及び上記式（Ａ−３’）で示される、動粘度が３５ｍｍ2／ｓ、ヒドロシリル基量が０．０６６ｍｏｌ／１００ｇの分子両末端にヒドロシリル基を含有する直鎖状のジメチルポリシロキサン１１３ｇを、容量１リットルのガラスビーカーに仕込み、ホモミキサーを用いて２，０００ｒｐｍで撹拌溶解させた。ここで、上記（Ａ−１’）のビニル基を含有するジメチルポリシロキサンのビニル基１個に対し、上記（Ａ−２’）のヒドロシリル基を含有するメチルポリシロキサンと上記（Ａ−３’）の分子両末端にヒドロシリル基を含有する直鎖状のジメチルポリシロキサンのヒドロシリル基の合計は１．２４個である。また、上記（Ａ−２’）のヒドロシリル基を含有するメチルポリシロキサンと上記（Ａ−３’）の分子両末端にヒドロシリル基を含有する直鎖状のジメチルポリシロキサンの質量比は５０：５０である。
【０１０２】
次いで、ラウリル硫酸ナトリウム１０ｇ（シリコーンエラストマー１００質量部に対し、２．０質量部となる量）と水１３０ｇを加え、ホモミキサーを用いて８，０００ｒｐｍで撹拌したところ、水中油滴型となり、増粘が認められ、さらに、１５分間撹拌を継続した。２，０００ｒｐｍで撹拌しながら、水３４８ｇを加え希釈した。１００ＭＰａの圧力の条件でホモジナイザーに通し、均一な白色エマルジョンを得た。
【０１０３】
得られたエマルジョン７９０ｇを錨型撹拌翼による撹拌装置の付いた容量２リットルのガラスフラスコに移し、２０〜２５℃に温調した後、撹拌下に白金−ビニル基含有シロキサンコンプレックスのイソドデカン溶液（白金含有量０．５％）０．６ｇとポリオキシエチレンラウリルエーテル（エチレンオキサイド付加モル数＝９モル）１．１ｇ（シリコーンエラストマー１００質量部に対し、０．２８質量部となる量）の混合溶解物を添加し、同温度で１２時間撹拌し、上記式（Ａ−１’）のビニル基を含有するジメチルポリシロキサンと、上記式（Ａ−２’）のヒドロシリル基を含有するメチルポリシロキサンと及び上記式（Ａ−３’）の分子両末端にヒドロシリル基を含有する直鎖状のジメチルポリシロキサンの付加反応を行った。次いで、抗菌剤であるフェノキシエタノール８ｇを添加し、同温度で１０分間撹拌し、水性シリコーン分散液を得た。
【０１０４】
得られた水性シリコーン分散液中に含まれるシリコーンエラストマーの体積平均粒径をレーザー回折／散乱式粒子径分布測定装置「ＬＡ−９６０」（（株）堀場製作所製）を用いて測定したところ、６７０ｎｍであった。
得られた水性シリコーン分散液に、濃度４０％のコロイダルシリカ水分散液（商品名：ＣＯＳＭＯ  Ｓ−４０、日揮触媒化成（株）製）１７７ｇ（シリコーンエラストマー１００質量部に対し、コロイダルシリカ１７．７質量部となる量）を添加し、１０分間撹拌し、水性シリコーン分散液を得た。水性シリコーン分散液中における水の量は、上記（Ａ）成分とコロイダルシリカとの合計１００質量部に対し、１０３．８質量部であった。
【０１０５】
得られた水性シリコーン分散液を上記の方法で乾燥したところ、タックのないシートが得られた。タイプＡデュロメータ硬さは３２、切断時伸びは１２０％、切断時引張強さは０．６７ＭＰａであった。
得られた水性シリコーン分散液を手の甲にスポイトを用いて約０．０２ｇ垂らし、指で直径約２ｃｍの大きさに広げた。３分間風乾した後、指で強く擦ったところ、固形物がよれて脱落し、柔らかい皮膜が形成していたと判断された。
【０１０６】
［比較例１］
上記式（Ａ−１’）で示される、動粘度が１３０ｍｍ2／ｓ、ビニル基量が０．０３５ｍｏｌ／１００ｇの分子両末端にビニル基を含有するジメチルポリシロキサン２４４ｇ、及び上記式（Ａ−２’）で示される、動粘度が４３０ｍｍ2／ｓ、ヒドロシリル基量が０．０４０ｍｏｌ／１００ｇのヒドロシリル基を含有するメチルポリシロキサン２５６ｇを容量１リットルのガラスビーカーに仕込み、ホモミキサーを用いて２，０００ｒｐｍで撹拌溶解させた。ここで、上記（Ａ−１’）のビニル基を含有するジメチルポリシロキサンのビニル基１個に対し、上記（Ａ−２’）のヒドロシリル基を含有するメチルポリシロキサンと上記（Ａ−３’）の分子両末端にヒドロシリル基を含有する直鎖状のジメチルポリシロキサンのヒドロシリル基の合計は１．２０個である。また、ヒドロシリル基を含有するメチルポリシロキサンにおいて、分子両末端にヒドロシリル基を含有する直鎖状のジメチルポリシロキサンを含有していない組成である。
【０１０７】
次いで、ラウリル硫酸ナトリウム５ｇ（シリコーンエラストマー１００質量部に対し、１．０質量部となる量）と水１３０ｇを加え、ホモミキサーを用いて８，０００ｒｐｍで撹拌したところ、水中油滴型となり、増粘が認められ、さらに、１５分間撹拌を継続した。２，０００ｒｐｍで撹拌しながら、水３５３ｇを加え希釈した。１００ＭＰａの圧力の条件でホモジナイザーに通し、均一な白色エマルジョンを得た。
得られたエマルジョン７９０ｇを錨型撹拌翼による撹拌装置の付いた容量２リットルのガラスフラスコに移し、２０〜２５℃に温調した後、撹拌下に白金−ビニル基含有シロキサンコンプレックスのイソドデカン溶液（白金含有量０．５％）０．６ｇとポリオキシエチレンラウリルエーテル（エチレンオキサイド付加モル数＝９モル）１．１ｇ（シリコーンエラストマー１００質量部に対し、０．２８質量部となる量）の混合溶解物を添加し、同温度で１２時間撹拌し、式（Ａ−１’）のビニル基を含有するジメチルポリシロキサンと、式（Ａ−２’）のヒドロシリル基を含有するメチルポリシロキサンとの付加反応を行った。次いで、抗菌剤であるフェノキシエタノール１０ｇを添加し、同温度で１０分間撹拌し、水性シリコーン分散液を得た。水性シリコーン分散液中における水の量は、上記（Ａ）成分１００質量部に対し、９６．６質量部であった。
【０１０８】
得られた水性シリコーン分散液中に含まれるシリコーンエラストマーの体積平均粒径をレーザー回折／散乱式粒子径分布測定装置「ＬＡ−９６０」（（株）堀場製作所製）を用いて測定したところ、８５０ｎｍであった。
得られた水性シリコーン分散液を上記の方法で乾燥したところ、タックのない乾燥物が得られたものの、脆すぎてシートとしてトレイより剥がせなかった。
【０１０９】
［比較例２］
上記式（Ａ−１’）で示される、動粘度が１３０ｍｍ2／ｓ、ビニル基量が０．０３５ｍｏｌ／１００ｇの分子両末端にビニル基を含有するジメチルポリシロキサン２７１ｇ、上記式（Ａ−２’）で示される、動粘度が４３０ｍｍ2／ｓ、ヒドロシリル基量が０．０４０ｍｏｌ／１００ｇのヒドロシリル基を含有するメチルポリシロキサン１３７ｇ、及び上記式（Ａ−３’）で示される、動粘度が３５ｍｍ2／ｓ、ヒドロシリル基量が０．０６６ｍｏｌ／１００ｇの分子両末端にヒドロシリル基を含有する直鎖状のジメチルポリシロキサン９２ｇを、容量１リットルのガラスビーカーに仕込み、ホモミキサーを用いて２，０００ｒｐｍで撹拌溶解させた。ここで、上記式（Ａ−１’）のビニル基を含有するジメチルポリシロキサンのビニル基１個に対し、上記式（Ａ−２’）のヒドロシリル基を含有するメチルポリシロキサンと上記式（Ａ−３’）の分子両末端にヒドロシリル基を含有する直鎖状のジメチルポリシロキサンのヒドロシリル基の合計は１．２２個である。また、上記式（Ａ−２’）のヒドロシリル基を含有するメチルポリシロキサンと上記式（Ａ−３’）の分子両末端にヒドロシリル基を含有する直鎖状のジメチルポリシロキサンの質量比は６０：４０である。
【０１１０】
次いで、ラウリル硫酸ナトリウム４５ｇ（シリコーンエラストマー１００質量部に対し、９．０質量部となる量）と水６０ｇを加え、ホモディスパーを用いて４，０００ｒｐｍで撹拌したところ、水中油滴型となり、グリース状になり、さらに、１０分間撹拌を継続した。ホモミキサーを用いて２，０００ｒｐｍで撹拌しながら、水３８３ｇを加え、均一な白色エマルジョンを得た。
【０１１１】
得られたエマルジョン７９０ｇを錨型撹拌翼による撹拌装置の付いた容量２リットルのガラスフラスコに移し、２０〜２５℃に温調した後、撹拌下に白金−ビニル基含有シロキサンコンプレックスのイソドデカン溶液（白金含有量０．５％）０．６ｇとポリオキシエチレンラウリルエーテル（エチレンオキサイド付加モル数＝９モル）１．１ｇ（シリコーンエラストマー１００質量部に対し、０．２８質量部となる量）の混合溶解物を添加し、同温度で１２時間撹拌し、上記式（Ａ−１’）のビニル基を含有するジメチルポリシロキサンと、上記式（Ａ−２’）のヒドロシリル基を含有するメチルポリシロキサンと及び上記式（Ａ−３’）の分子両末端にヒドロシリル基を含有する直鎖状のジメチルポリシロキサンの付加反応を行った。次いで、抗菌剤であるフェノキシエタノール１０ｇを添加し、同温度で１０分間撹拌し、水性シリコーン分散液を得た。水性シリコーン分散液中における水の量は、上記（Ａ）成分１００質量部に対し、８８．６質量部であった。
【０１１２】
得られた水性シリコーン分散液中に含まれるシリコーンエラストマーの体積平均粒径をレーザー回折／散乱式粒子径分布測定装置「ＬＡ−９６０」（（株）堀場製作所製）を用いて測定したところ、４７０ｎｍであった。
得られた水性シリコーン分散液を上記の方法で乾燥したところ、タックのない乾燥物が得られたものの、脆すぎてシートとしてトレイより剥がせなかった。
【０１１３】
［比較例３］
比較例１と同様にしてで得られた水性シリコーン分散液に、濃度４０％のコロイダルシリカ水分散液（商品名：ＣＯＳＭＯ  Ｓ−４０、日揮触媒化成（株）製）５３ｇ（シリコーンエラストマー１００質量部に対し、コロイダルシリカ５．３質量部となる量）を添加し、１０分間撹拌し、水性シリコーン分散液を得た。水性シリコーン分散液中における水の量は、上記（Ａ）成分とコロイダルシリカとの合計１００質量部に対し、９１．７質量部であった。
【０１１４】
得られた水性シリコーン分散液を上記の方法で乾燥したところ、タックのない乾燥物が得られたものの、脆すぎてシートとしてトレイより剥がせなかった。
【０１１５】
［比較例４］
実施例１で使用したラウリル硫酸ナトリウム５ｇの代わりにポリオキシエチレンラウリルエーテル（エチレンオキサイド付加モル数＝９モル）５ｇを用いた他は実施例１と同じ方法で、水性シリコーン分散液を得た。水性シリコーン分散液中における水の量は、上記（Ａ）成分１００質量部に対し、９６．６質量部であった。
【０１１６】
得られた水性シリコーン分散液中に含まれるシリコーンエラストマーの体積平均粒径をレーザー回折／散乱式粒子径分布測定装置「ＬＡ−９６０」（（株）堀場製作所製）を用いて測定したところ、７２０ｎｍであった。
得られた水性シリコーン分散液を上記の方法で乾燥したところ、タックのない乾燥物が得られたものの、脆すぎてシートとしてトレイより剥がせなかった。
【０１１７】
［比較例５］
上記式（Ａ−１’）で示される、動粘度が１３０ｍｍ2／ｓ、ビニル基量が０．０３５ｍｏｌ／１００ｇの分子両末端にビニル基を含有するジメチルポリシロキサン２７１ｇ、上記式（Ａ−２’）で示される、動粘度が４３０ｍｍ2／ｓ、ヒドロシリル基量が０．０４０ｍｏｌ／１００ｇのヒドロシリル基を含有するメチルポリシロキサン１３７ｇ、及び上記式（Ａ−３’）で示される、動粘度が３５ｍｍ2／ｓ、ヒドロシリル基量が０．０６６ｍｏｌ／１００ｇの分子両末端にヒドロシリル基を含有する直鎖状のジメチルポリシロキサン９２ｇを、容量１リットルのガラスビーカーに仕込み、ホモミキサーを用いて２，０００ｒｐｍで撹拌溶解させた。ここで、上記式（Ａ−１’）のビニル基を含有するジメチルポリシロキサンのビニル基１個に対し、上記式（Ａ−２’）のヒドロシリル基を含有するメチルポリシロキサンと上記式（Ａ−３’）の分子両末端にヒドロシリル基を含有する直鎖状のジメチルポリシロキサンのヒドロシリル基の合計は１．２２個である。また、式（２）のヒドロシリル基を含有するメチルポリシロキサンと上記式（Ａ−３’）の分子両末端にヒドロシリル基を含有する直鎖状のジメチルポリシロキサンの質量比は６０：４０である。
【０１１８】
次いで、ラウリル硫酸ナトリウム５ｇ（シリコーンエラストマー１００質量部に対し、９．０質量部となる量）、ポリオキシエチレンラウリルエーテル（エチレンオキサイド付加モル数＝９モル）２５ｇ及びと水４０ｇを加え、ホモディスパーを用いて４，０００ｒｐｍで撹拌したところ、水中油滴型となり、グリース状になり、さらに、１０分間撹拌を継続した。ホモミキサーを用いて２，０００ｒｐｍで撹拌しながら、水４１８ｇを加え、均一な白色エマルジョンを得た。
【０１１９】
得られたエマルジョン７９０ｇを錨型撹拌翼による撹拌装置の付いた容量２リットルのガラスフラスコに移し、２０〜２５℃に温調した後、撹拌下に白金−ビニル基含有シロキサンコンプレックスのイソドデカン溶液（白金含有量０．５％）０．６ｇとポリオキシエチレンラウリルエーテル（エチレンオキサイド付加モル数＝９モル）１．１ｇ（シリコーンエラストマー１００質量部に対し、０．２８質量部となる量）の混合溶解物を添加し、同温度で１２時間撹拌し、上記式（Ａ−１’）のビニル基を含有するジメチルポリシロキサンと、上記式（Ａ−２’）のヒドロシリル基を含有するメチルポリシロキサンと及び上記式（Ａ−３’）の分子両末端にヒドロシリル基を含有する直鎖状のジメチルポリシロキサンの付加反応を行った。次いで、抗菌剤であるフェノキシエタノール１０ｇを添加し、同温度で１０分間撹拌し、水性シリコーン分散液を得た。水性シリコーン分散液中における水の量は、上記（Ａ）成分１００質量部に対し、９１．６質量部であった。
【０１２０】
得られた水性シリコーン分散液中に含まれるシリコーンエラストマーの体積平均粒径をレーザー回折／散乱式粒子径分布測定装置「ＬＡ−９６０」（（株）堀場製作所製）を用いて測定したところ、６６０ｎｍであった。
得られた水性シリコーン分散液を上記の方法で乾燥したところ、タックのない乾燥物が得られたものの、脆すぎてシートとしてトレイより剥がせなかった。
【０１２１】
［比較例６］
実施例１と同様にして得られた水性シリコーン分散液に、濃度４０％のコロイダルシリカ水分散液（商品名：ＣＯＳＭＯ  Ｓ−４０、日揮触媒化成（株）製）３６０ｇ（シリコーンエラストマー１００質量部に対し、コロイダルシリカ３６．０質量部となる量）を添加し、１０分間撹拌し、水性シリコーン分散液を得た。水性シリコーン分散液中における水の量は、上記（Ａ）成分とコロイダルシリカとの合計１００質量部に対し、１０９．８質量部であった。
【０１２２】
得られた水性シリコーン分散液を上記の方法で乾燥したところ、タックのない乾燥物が得られたものの、脆すぎてシートとしてトレイより剥がせなかった。
【０１２３】
［比較例７］
オクタメチルシクロテトラシロキサン５００ｇ、乳化剤兼重合触媒としてドデシルベンゼンスルホン酸３０ｇ、及び水１７０ｇを１リットルのガラスビーカーに仕込み、ホモミキサーを用いて８，０００ｒｐｍで撹拌したところ、水中油滴型となり、増粘が認められ、さらに、１５分間撹拌を継続した。２，０００ｒｐｍで撹拌しながら、水３００ｇを加え希釈した。３０ＭＰａの圧力の条件でホモジナイザーに通し、均一な白色エマルジョンを得た。
【０１２４】
得られたエマルジョン８００ｇを錨型撹拌翼による撹拌装置の付いた容量２リットルのガラスフラスコに移し、７０℃で６時間反応させ、さらに１５℃で１２時間熟成した後に、１０質量％炭酸ナトリウム水溶液４４ｇを添加し、ｐＨ＝６．２に中和した。得られたエマルジョンのポリシロキサン分は、分子両末端に水酸基を含有するジメチルポリシロキサンである。このエマルジョンにイソプロピルアルコールを加えてエマルジョンを破壊させ、分離した、ポリシロキサンの複素粘性率を測定したところ、２．３×１０６ｍＰａ・ｓであった。
【０１２５】
得られた分子両末端に水酸基を含有するジメチルポリシロキサンのエマルジョン７８７ｇに、撹拌下にフェニルトリエトキシシラン８ｇを添加し、１時間撹拌した後、さらに縮合触媒であるジオクチルスズジバーサテートのエマルジョン（ジオクチルスズジバーサテート濃度４２％）４．８ｇ、及び抗菌剤であるフェノキシエタノール８ｇを添加し、１０分間撹拌し、水性シリコーン分散液を得た。水性シリコーン分散液中における水の量は、上記ポリシロキサン分とフェニルトリエトキシシランとの合計１００質量部に対し、１０３．２質量部であった。
【０１２６】
得られた水性シリコーン分散液中に含まれるシリコーンエラストマーの体積平均粒径をレーザー回折／散乱式粒子径分布測定装置「ＬＡ−９６０」（（株）堀場製作所製）を用いて測定したところ、２２０ｎｍであった。
得られた水性シリコーン分散液を上記の方法で乾燥したところ、タックのないシートが得られた。タイプＡデュロメータゴム硬さは１２、切断時伸びは８６０％、切断時引張強さは０．６０ＭＰａであった。
得られた水性シリコーン分散液を手の甲にスポイトを用いて約０．０２ｇ垂らし、指で直径約２ｃｍの大きさに広げた。３分間風乾した後、指で強く擦ったところ、固形物の脱落はなく、短時間の乾燥では硬化皮膜は形成しないものであった。